(57)【要約】【課題】ＳＤＨデータのシグナルラベルの検出および監視を行う装置において、次世代ネットワーク（ＮＧＮ）のようにデータのパスが頻繁に変更されることに対応できるようにする。【解決手段】ＳＤＨの入力データ信号のパスオーバヘッド領域に挿入されているシグナルラベルのパターンをパターン抽出部２１により抽出し、その抽出パターンと、参照パターン格納部２３に予め記憶設定されている参照パターンとをパターン比較部２２により比較し、同一の抽出パターンに対してパターンの不一致が所定回連続したときアラーム出力部２５からロガー部２６および参照パターン更新部３０にアラーム情報が出力され、参照パターン更新部３０がその抽出パターンを新規の参照パターンとして参照パターン格納部２３に更新設定する。【選択図】図１
2010119044.tif 000002
【特許請求の範囲】
【請求項１】
ＳＤＨの入力データ信号のパスオーバヘッド領域に挿入されているシグナルラベルのパターンを抽出するパターン抽出部（２１）と、
前記入力データ信号のパスオーバヘッド領域に挿入されている可能性のあるシグナルラベルのパターンと同一の参照パターンが予め記憶設定されている参照パターン格納部（２３）と、
前記パターン抽出部によって抽出した抽出パターンと、前記参照パターン格納部に予め記憶設定されている参照パターンとを比較するパターン比較部（２２）と、
パターン比較部によってパターンの不一致が判定されたときアラーム情報を出力するアラーム出力部（２５）と、
前記アラーム出力部から出力されたアラーム情報を記録するロガー部（２６）とを有するシグナルラベル検出装置において、
同一の抽出パターンに対して前記パターンの不一致が所定回連続したときに該抽出パターンを、新規の参照パターンとして前記参照パターン格納部に更新設定する参照パターン更新部（３０）を設けたことを特徴とするシグナルラベル検出装置。
【発明の詳細な説明】
【技術分野】
【０００１】
本発明は、ＳＤＨ（synchronous digital hierarchy）の同期デジタル網から入力されるデータの生成元を示すパターンであるシグナルラベルの検出および監視を行う装置において、次世代ネットワーク（ＮＧＮ）のようにデータのパスが頻繁に変更されることに対応するための技術に関する。
【背景技術】
【０００２】
従来、上記のようなＳＤＨのシグナルラベルの測定は、データの伝送経路などが固定されたネットワークを対象としており、予めその固定された伝送経路のデータ生成元を示すパターンは、データについて同じであり、それが変化した場合伝送経路に異常が発生したような場合であり、その場合伝送経路の異常状態が復帰するまでアラーム情報を取得してその情報を、ロガー部に記録していた。
【０００３】
なお、ＳＤＨおよびそのシグナルラベルに関しては、例えば次の非特許文献１に記載されている。
【０００４】
【非特許文献１】ＩＴＵ−Ｔ  Ｇ７０７／Ｙ１３２２（０１／０７）
【発明の開示】
【発明が解決しようとする課題】
【０００５】
しかし、前記したようにＳＤＨのような同期デジタル網の次世代の形態として、固定経路によるデータ伝送だけでなく、データのパスが頻繁に変更されることが予想される。
【０００６】
それに伴い、ネットワークに存在する装置の複数の受信ポートがそれぞれ受信するシグナルラベルも頻繁に変更されることになるが、従来のシグナルラベル測定ではシグナルラベルが変更された状態が継続するとアラーム状態が継続して、パスの変更を正しく認識できないという問題があった。
【０００７】
本発明は、この問題を解決してデータのパスが頻繁に変更されることに対応できるシグナルラベル検出装置を提供することを目的としている。
【課題を解決するための手段】
【０００８】
前記目的を達成するために、本発明のシグナルラベル検出装置は、
ＳＤＨの入力データ信号のパスオーバヘッド領域に挿入されているシグナルラベルのパターンを抽出するパターン抽出部（２１）と、
前記入力データ信号のパスオーバヘッド領域に挿入されている可能性のあるシグナルラベルのパターンと同一の参照パターンが予め記憶設定されている参照パターン格納部（２３）と、
前記パターン抽出部によって抽出した抽出パターンと、前記参照パターン格納部に予め記憶設定されている参照パターンとを比較するパターン比較部（２２）と、
パターン比較部によってパターンの不一致が判定されたときアラーム情報を出力するアラーム出力部（２５）と、
前記アラーム出力部から出力されたアラーム情報を記録するロガー部（２６）とを有するシグナルラベル検出装置において、
同一の抽出パターンに対して前記パターンの不一致が所定回連続したときに該抽出パターンを、新規の参照パターンとして前記参照パターン格納部に更新設定する参照パターン更新部（３０）を設けたことを特徴とする。
【発明の効果】
【０００９】
このように、本発明のシグナルラベル検出装置は、アラーム情報に基づいてシグナルラベルについての参照パターンを更新するようにしたので、ＮＧＮによるパス変更にも対応できるシグナルラベル検出が可能となる。
【発明を実施するための最良の形態】
【００１０】
以下、図面に基づいて本発明の実施の形態を説明する。
図１は、本発明を適用したシグナルラベル検出装置２０である。
【００１１】
パターン抽出部２１は、ＳＤＨのネットワーク１からの入力データのパスオーバヘッド（ＰＯＨ）の領域の特定位置に挿入された比較対象のシグナルラベルのパターンを抽出し、その抽出パターンＰｘをパターン比較部２２および後述する参照パターン更新部３０に与える。
【００１２】
ここで、入力データは周知のＳＤＨのフレーム構造を有しており、パスオーバヘッド領域とペイロード領域からなり、且つそれらの領域が時分割多重化されてマルチチャンネル化されている。
【００１３】
そしてパターン抽出部２１は、入力データの各チャンネルについてのシグナルラベルのパターンをパスオーバヘッド領域から抽出し、その抽出パターンとチャンネル情報ＣＨとをパターン比較部２２と参照パターン更新部３０に与える。
【００１４】
参照パターン格納部２３には、図２に示すように、入力データのパスオーバヘッド領域に挿入されている可能性のある各チャンネルについてのシグナルラベルのパターンと同一の参照パターンＰｒが予め記憶設定されている。
【００１５】
パターン比較部２２は、パターン抽出部２１によって抽出した各チャンネルの抽出パターンＰｘと、参照パターン格納部２３に予め記憶設定されている各チャンネルの参照パターンＰｒとをそれぞれ比較する。
【００１６】
アラーム出力部２５は、パターン比較部２２によってパターンの不一致が所定回（ｍ回）連続して判定されたときアラーム情報ＡＬＭを出力する（ｍは複数）。ここでアラーム情報ＡＬＭには、発生日時、チャンネル情報、抽出パターンと参照パターン等が含まれる。
【００１７】
このアラーム情報ＡＬＭはロガー部２６に時系列に記憶される。このロガー部２６の記憶情報は、外部装置との通信機能により、あるいはロガー部自体を着脱自在な記憶装置（ハードディスク、半導体メモリ等）で構成していつでも参照できるように構成されている。
【００１８】
参照パターン更新部３０は、同一の抽出パターンに対してパターン不一致がｍ回連続したとき（即ち、アラーム情報ＡＬＭが出力されたとき）にその抽出パターンを、新規の参照パターンとして参照パターン格納部２３に更新設定する。
【００１９】
このように構成されているため、例えば図３の（ａ）のようにチャンネルｎについて抽出した抽出パターンＰｘ（ｎ）と、図３の（ｂ）のチャンネルｎの参照パターンＰｒ（ｎ）とが比較され、その結果が図３の（ｃ）のように、ｍ回連続で不一致の場合には、図３の（ｄ）のようにアラーム情報ＡＬＭ（ｎ）が出力される。
【００２０】
これにより、ネット側でパスの変更があったと判断されて、図３の（ｅ）のように参照パターンＰｒ（ｎ）が、抽出パターンＰｘ（ｎ）と等しいパターンＰｒ′（ｎ）に更新される。
【００２１】
したがってその後は、パターン比較結果が一致し、アラーム情報ＡＬＭ（ｎ）の出力が解除され、これによりネット側でのパス変更の履歴がロガー部２６に記録されたことになる。なお、上記処理は各チャンネルについて並行して行われ、ロガー部２６には、各チャンネルについてのアラーム情報ＡＬＭ（ｎ）がそれぞれ時系列に記録されることになる。
【００２２】
このように、実施形態のシグナルラベル検出装置２０では、アラーム情報に基づいてシグナルラベルについての参照パターンを更新するようにしたので、ＮＧＮによるパス変更にも対応できるシグナルラベル検出が可能となる。
【図面の簡単な説明】
【００２３】
【図１】本発明の実施形態の構成図
【図２】参照パターン格納部の状態を示す図
【図３】実施形態の動作例を示す図
【符号の説明】
【００２４】
１……ＳＤＨネットワーク、２０……シグナルラベル検出装置、２１……パターン抽出部、２２……パターン比較部、２３……参照パターン格納部、２５……アラーム出力部、２６……ロガー部、３０……参照パターン更新部
【図１】
2010119044.tif 000003
【図２】
2010119044.tif 000004
【図３】
2010119044.tif 000005